(57)【特許請求の範囲】
【請求項１】
監視カメラと、
前記監視カメラと通信可能であり、固定電話網に接続されて他固定電話機と通話可能な親機と、
表示入力部を備え、前記親機との間で無線ルータを介して無線通信可能であり、携帯電話網を介して他携帯電話機と接続する携帯電話端末と、
を備えた監視カメラシステムであって、
前記親機に、前記無線ルータが登録されていない場合、前記携帯電話端末は前記親機に所定操作を行うよう促す画面を表示するとともに、前記親機からの信号を待ち受け、
前記親機は、前記所定操作により前記携帯電話端末と直接、無線接続して前記携帯電話端末に設定要求信号を送信し、
前記携帯電話端末は、前記設定要求信号を受信すると、前記無線ルータと無線接続して前記無線ルータからルータ設定情報を取得し、前記親機と無線接続して前記親機に前記ルータ設定情報を送信し、
前記親機は、前記ルータ設定情報に基づいて前記無線ルータの登録を行い、前記登録された無線ルータと無線接続し、
前記携帯電話端末は、画像表示を指示する操作を受け付けると、前記操作の情報を、登録された無線ルータを介して前記親機に送信し、
前記親機は、前記操作の情報に従って、前記監視カメラから転送される画像データを、前記登録された無線ルータを介して前記携帯電話端末に送信する、
監視カメラシステム。
【請求項２】
前記携帯電話端末は、前記親機に登録されていない場合、前記無線ルータの登録が完了した後、前記登録された無線ルータと無線接続し、端末情報を、前記登録された無線ルータを介して前記親機に送信し、
前記親機は、前記端末情報に基づいて前記携帯電話端末の登録を行う、
請求項１に記載の監視カメラシステム。
【請求項３】
監視カメラと、前記監視カメラと通信可能であり、固定電話網に接続されて他固定電話機と通話可能な親機と、表示入力部を備え、前記親機との間で無線ルータを介して無線通信可能であり、携帯電話網を介して他携帯電話機と接続する携帯電話端末と、を備えた監視カメラシステムに使用される通信方法であって、
前記親機に、前記無線ルータが登録されていない場合、前記携帯電話端末は前記親機に所定操作を行うよう促す画面を表示するとともに、前記親機からの信号を待ち受け、
前記親機は、前記所定操作により前記携帯電話端末と直接、無線接続して前記携帯電話端末に設定要求信号を送信し、
前記携帯電話端末は、前記設定要求信号を受信すると、前記無線ルータと無線接続して前記無線ルータからルータ設定情報を取得し、前記親機と無線接続して前記親機に前記ルータ設定情報を送信し、
前記親機は、前記ルータ設定情報に基づいて前記無線ルータの登録を行い、前記登録された無線ルータと無線接続し、
前記携帯電話端末は、画像表示を指示する操作を受け付けると、前記操作の情報を、登録された無線ルータを介して前記親機に送信し、
前記親機は、前記操作の情報に従って、前記監視カメラから転送される画像データを、前記登録された無線ルータを介して前記携帯電話端末に送信する、
監視カメラシステムに使用される通信方法。
【発明の詳細な説明】
【技術分野】
【０００１】
本発明は、カメラとの間でデータの入出力を行う監視カメラシステムに関する。
【背景技術】
【０００２】
宅内の敷地に入ってきた侵入者を監視する監視カメラシステムが知られている（特許文献１参照）。特許文献１に示された監視カメラシステムは、専用の監視システムを利用して監視結果をセンター側に送信するものである。
【先行技術文献】
【特許文献】
【０００３】
【特許文献１】特開２００７−３２３５３３号公報
【発明の概要】
【発明が解決しようとする課題】
【０００４】
しかしながら、特許文献１に示された監視カメラシステムは、専用のシステムが必要であるため、導入に多大な労力、費用が必要となってしまう。
【０００５】
本発明の目的は、専用のシステムを導入すること無く、宅内の敷地に入ってきた侵入者を監視することができる通信システムを提供することである。
【課題を解決するための手段】
【０００６】
本発明は、監視カメラと、前記監視カメラと通信可能であり、固定電話網に接続されて他固定電話機と通話可能な親機と、表示入力部を備え、前記親機との間で無線ルータを介して無線通信可能であり、携帯電話網を介して他携帯電話機と接続する携帯電話端末と、を備えた監視カメラシステムであって、前記親機に、前記無線ルータが登録されていない場合、前記携帯電話端末は前記親機に所定操作を行うよう促す画面を表示するとともに、前記親機からの信号を待ち受け、前記親機は、前記所定操作により前記携帯電話端末と直接、無線接続して前記携帯電話端末に設定要求信号を送信し、前記携帯電話端末は、前記設定要求信号を受信すると、前記無線ルータと無線接続して前記無線ルータからルータ設定情報を取得し、前記親機と無線接続して前記親機に前記ルータ設定情報を送信し、前記親機は、前記ルータ設定情報に基づいて前記無線ルータの登録を行い、前記登録された無線ルータと無線接続し、前記携帯電話端末は、画像表示を指示する操作を受け付けると、前記操作の情報を、登録された無線ルータを介して前記親機に送信し、前記親機は、前記操作の情報に従って、前記監視カメラから転送される画像データを、前記登録された無線ルータを介して前記携帯電話端末に送信する、監視カメラシステムである。
【発明の効果】
【０００７】
本発明によれば、既存の固定電話を用いることにより、安価で使い勝手のよい監視システムを提供することができる。
【図面の簡単な説明】
【０００８】
【図１】本実施形態の監視カメラシステムのシステム構成を示す図
【図２】親機の内部構成を示すブロック図
【図３】子機の内部構成を示すブロック図
【図４】カメラの内部構成を示すブロック図
【図５】センサの内部構成を示すブロック図
【図６】スマートフォンの内部構成を示すブロック図
【図７】起動時におけるスマートフォンの初期画面を示す図
【図８】（Ａ）〜（Ｃ）カメラのマイク及びスピーカの音量を設定する際のスマートフォンの画面の遷移を示す図
【図９】（Ａ）〜（Ｃ）ハンドフリー通話を行う際のスマートフォンの画面の遷移を示す図
【図１０】（Ａ）〜（Ｃ）ハンドセット通話を行う際のスマートフォンの画面の遷移を示す図
【図１１】（Ａ）〜（Ｃ）電話モニタを行う際のスマートフォンの画面の遷移を示す図
【図１２】監視カメラシステムの動作の流れを示すシーケンス図
【図１３】親機の動作手順を示すフローチャート
【図１４】監視カメラシステムの初期設定の流れを示すシーケンス図
【図１５】初期設定時におけるスマートフォンの初期設定動作開始前の画面を示す図
【図１６】初期設定時におけるスマートフォンの初期設定動作中の画面を示す図
【図１７】操作開始時におけるスマートフォンのメニュー表示画面を示す図
【発明を実施するための形態】
【０００９】
本発明に係る監視カメラシステムの実施形態（以下、「本実施形態」という）について、図面を参照しながら説明する。以下の本実施形態では、本発明に係る通信システムの一例として、監視カメラシステムを例示して説明する。なお、本発明は、通信システムに限定されず、通信システムを構成する各装置又は各装置における方法として表現することも可能である。
【００１０】
図１は、本実施形態の監視カメラシステム５のシステム構成を示す図である。監視カメラシステム５は、主に宅内８に設置されており、親機１０、２台の子機２０Ａ、２０Ｂ、２台のカメラ３０（具体的には、屋内カメラ３０Ａ，監視カメラ３０Ｂ）、各種センサ４０（具体的には、人感センサ４０Ａ，４０Ｂ，煙センサ４０Ｃ，開閉センサ４０Ｄ）、スマートフォン５０（携帯端末）及び無線ルータ６０から構成される。なお、この監視カメラシステム５の構成は一例であり、種々の態様に変更可能である。
【００１１】
親機（ゲートウェイ）１０は、監視カメラシステム５の全体の動作を制御する制御装置であり、ＤＥＣＴ（Digital Enhanced Cordless Telecommunications）の通信方式を用いて、子機、カメラ、センサ等と通信可能に接続される。また、親機１０は、無線ＬＡＮを用いた無線ルータ６０を介してインターネット６５（ネットワーク）に接続される。また、親機１０は、有線で固定電話網８５に接続され、固定電話機８０と通話可能である。また、親機１０は、差込口１０ａに挿入された子機２０Ａを充電する機能を有する。
【００１２】
子機２０Ａ，２０Ｂは、ＤＥＣＴの通信方式で親機１０と接続され、親機１０と通話可能である。特に、２台の子機２０Ａ，２０Ｂを区別する必要が無い場合、子機２０と総称する。
【００１３】
各種センサ４０（具体的には、人感センサ４０Ａ，４０Ｂ，煙センサ４０Ｃ，開閉センサ４０Ｄ）は、ＤＥＣＴの通信方式で親機１０と接続される。ここでは、センサとして、窓の開閉を検出する開閉センサ４０Ｄ、煙を感知する煙センサ４０Ｃ、及び赤外線によって人を感知する人感センサ４０Ａ、４０Ｂが用いられる。特に、これらのセンサの種類を区別する必要が無い場合、センサ４０と総称する。また、後述するように、カメラ３０に内蔵された赤外線センサ３１３（図４参照）も、人感センサとして用いられる。
【００１４】
２台のカメラ（具体的には、屋内カメラ３０Ａ，監視カメラ３０Ｂ）は、通話機能を有し、ＤＥＣＴの通信方式で親機１０と接続される。ここでは、カメラとして、屋外を撮像する監視カメラ３０Ｂ、及び宅内８を撮像する屋内カメラ３０Ａが用いられる。特に、カメラの種類を区別する必要が無い場合、カメラ３０と総称する。
【００１５】
スマートフォン５０は、無線ＬＡＮを用いた無線ルータ６０を介して親機１０と接続され、また、３Ｇ（第３世代）等の通信方式を用いた携帯電話網７５を介して携帯電話機７０や他のスマートフォン等と接続される。
【００１６】
図２は、親機１０の内部構成を示すブロック図である。親機１０は、制御部１０９と、記憶部１０３と、操作部１０５と、表示部１０６とを含む構成である。親機１０は、各種の入力操作を受け付け、また、表示部１０６に画像等の情報を表示する。制御部１０９は、呼制御部１１０及び音声ストリーム処理部１１２を内蔵し、通話の呼制御や音声データの処理等を行う。
【００１７】
また、親機１０は、画像メモリ制御部１１５と、画像メモリ１１６とを有し、カメラ３０で撮像された画像データ等を画像メモリ１１６に記憶する。
【００１８】
また、親機１０は、無線ＬＡＮ制御部１２１と、無線ＬＡＮ通信Ｉ／Ｆ部１２２とを有し、無線ＬＡＮで接続された無線ルータ６０を介してスマートフォン５０、カメラ３０等と画像データ及び音声データを送受信する。
【００１９】
また、親機１０は、ＤＥＣＴプロトコル制御部１０８と、ＤＥＣＴ無線Ｉ／Ｆ部１０７とを有し、ＤＥＣＴ（Digital Enhanced Cordless Telecommunications）の無線方式を用いて、子機２０、センサ４０及びカメラ３０と無線接続を行う。
【００２０】
また、親機１０は、音声バス１１７と、音声入出力制御部１０４と、スピーカ１２９と、マイク１２８とを有し、外部に対して音声の入出力を行う。
【００２１】
また、親機１０は、固定電話回線Ｉ／Ｆ部１０１を有し、固定電話網８５に接続された外部の固定電話機８０と通話可能である。
【００２２】
また、親機１０は、子機／携帯端末充電部１２６を有し、差込口１０ａに挿入された子機２０あるいはスマートフォン５０を充電する。
【００２３】
また、親機１０は、ＵＳＢ通信Ｉ／Ｆ部１２７を有し、ＵＳＢ（Universal Serial Bus）規格のインタフェースを有する機器やメモリ等とデータを送受信する。
【００２４】
また、親機１０は、各種センサ４０（具体的には、人感センサ４０Ａ，４０Ｂ，煙センサ４０Ｃ，開閉センサ４０Ｄ）と複数のカメラ３０をそれぞれ関連付けて記憶部１０３に登録する。例えば、人感センサ４０Ｂと監視カメラ３０Ｂとは、屋外の近接した場所に設置されているので、関連付けて登録される。また、監視カメラ３０Ｂは、後述するように、人感センサである赤外線センサ３１３（図４参照）を一体として内蔵するので、この赤外線センサ３１３とも関連付けて登録される。また、人感センサ４０Ａと、煙センサ４０Ｃと開閉センサ４０Ｄとは、いずれも宅内８に設置されているので、屋内カメラ３０Ａとそれぞれ関連付けて登録される。
【００２５】
また、親機１０は、予めスマートフォン５０および無線ルータ６０を登録する。なお、親機１０が、スマートフォン５０および無線ルータ６０を登録するまでの初期設定の流れについては後述する。
【００２６】
図３は、子機２０の内部構成を示すブロック図である。子機２０は、制御部２４７と、記憶部２４２と、操作部２４４と、表示部２４５とを含む構成である。子機２０は、各種の入力操作を受け付け、表示部２４５に画像等の情報を表示する。
【００２７】
また、子機２０は、ＤＥＣＴプロトコル制御部２４９と、ＤＥＣＴ無線Ｉ／Ｆ部２４８とを有し、ＤＥＣＴの無線方式を用いて親機１０、センサ４０及びカメラ３０と無線接続を行う。
【００２８】
また、子機２０は、音声バス２５５と、音声入出力制御部２４３と、スピーカ２５２と、マイク２５１とを有し、外部に対して音声の入出力を行う。
【００２９】
図４は、カメラ３０の内部構成を示すブロック図である。カメラ３０の一例としての屋内カメラ３０Ａ及び監視カメラ３０Ｂは、いずれもほぼ同じ仕様を有する。カメラ３０は、制御部３０９と、記憶部３０３と、操作部３０５とを含む構成である。カメラ３０は、撮像に関する動作を行うとともに、入力操作を受け付ける。
【００３０】
また、カメラ３０は、ＤＥＣＴプロトコル制御部３１７と、ＤＥＣＴ無線Ｉ／Ｆ部３１８とを有し、ＤＥＣＴの無線方式を用いて親機１０と無線接続を行う。
【００３１】
また、カメラ３０は、無線ＬＡＮ制御部３２１と、無線ＬＡＮ通信Ｉ／Ｆ部３２２とを有し、無線ＬＡＮで接続された無線ルータ６０を介して親機１０、スマートフォン５０等と画像データ及び音声データを送受信する。
【００３２】
また、カメラ３０は、音声バス３０７と、音声入出力制御部３０４と、スピーカ３２９と、マイク３２８とを有し、外部に対して音声の入出力を行う。
【００３３】
また、カメラ３０は、撮像部３１２と、画像メモリ制御部３１６と、画像メモリ３１５とを有し、撮像部３１２で撮像された画像データを画像メモリ３１５に記憶する。撮像部３１２は、レンズ及び撮像素子（例えば、ＣＣＤ（Charged Coupled Device）、又はＣＭＯＳ（Complementary Metal Oxide Semiconductor）等のイメージセンサ）を有する。
【００３４】
カメラ３０は、人感センサとして、ＰＩＲ（Passive Infra Red）センサである赤外線センサ３１３を一体に内蔵する。赤外線センサ３１３は、人が発する熱（赤外線）の変化を検出して人の存在を感知する。カメラ３０は、商用の交流電源により構成される電源部３１４を有する。
【００３５】
図５は、センサ４０の内部構成を示すブロック図である。センサ４０は、制御部４４７と、記憶部４４２と、表示ランプ４４５とを含む構成である。センサ４０は、対象（例えば侵入者。以下同様。）を検出した場合に、表示ランプ４４５を点灯する等、所定の検出動作を行う。
【００３６】
また、センサ４０は、ＤＥＣＴプロトコル制御部４４９と、ＤＥＣＴ無線Ｉ／Ｆ部４４８とを有し、ＤＥＣＴの無線方式で親機１０と無線接続を行い、対象を検出すると、センサ検出情報を親機１０に送る。
【００３７】
センサ部４５３は、センサ４０の種類によって異なる。例えば、人感センサ４０Ａ，４０Ｂの場合、センサ部４５３は、赤外線の変化によって人を感知するＰＩＲセンサである。窓等の開閉を検出する開閉センサ４０Ｄの場合、センサ部４５３は、開閉によってオン／オフに切り替わるリードスイッチである。煙センサ４０Ｃの場合、センサ部４５３は、発光した光が煙によって遮光されることで煙を感知する発光・受光部である。
【００３８】
充電池４５０は、充電可能な電池であり、各部に電力を供給する。
【００３９】
図６は、スマートフォン５０の内部構成を示すブロック図である。スマートフォン５０は、制御部５０６と、記憶部５０４と、表示／操作部（タッチパネル）５０３とを含む構成である。スマートフォン５０は、各種の入力操作を受け付け、タッチパネル５０３に画像等の情報を表示する。制御部５０６は、後述するように、カメラ３０の機能を設定可能な監視機能制御部５１４を内蔵する。タッチパネル５０３は、表示部及び操作部が一体化された表示入力部であり、画面に画像やアイコン等の情報を表示するとともに、使用者による画面へタップ操作（又はタッチ操作）を受け付ける。
【００４０】
また、スマートフォン５０は、３Ｇプロトコル制御部５０２と、３Ｇ通信Ｉ／Ｆ部５０１とを有し、３Ｇ（第３世代）の無線通信方式を用いて、携帯電話網７５に接続された携帯電話機７０や他のスマートフォンと無線接続を行う。
【００４１】
また、スマートフォン５０は、音声バス５１５と、音声入出力制御部５０５と、スピーカ５１３と、マイク５１２とを有し、外部に対して音声の入出力を行う。
【００４２】
また、スマートフォン５０は、無線ＬＡＮ制御部５０７と、無線ＬＡＮ通信Ｉ／Ｆ部５０８とを有し、無線ＬＡＮで接続された無線ルータ６０を介して親機１０、カメラ３０等と画像データ及び音声データを送受信する。
【００４３】
また、スマートフォン５０は、ＵＳＢ通信Ｉ／Ｆ部５１１を有し、ＵＳＢ（Universal Serial Bus）規格のインタフェースを有する機器やメモリ等とデータを送受信する。
【００４４】
上述した構成を有する監視カメラシステム５の動作を説明する。
【００４５】
始めに、スマートフォン５０の動作について説明する。使用者によって、スマートフォン５０にインストールされている監視カメラのアプリケーションが起動されると、スマートフォン５０は初期画面を表示する。
【００４６】
図７は、起動時におけるスマートフォン５０の初期画面を示す図である。監視カメラのアプリケーションが起動すると、タッチパネル５０３の初期画面の中央部には、カメラ３０で撮像された画像（動画像）５５が表示される。また、タッチパネル５０３の画面には、カメラアイコン５１、スピーカアイコン５２、ミュートアイコン５３及び切断アイコン５４がタップ操作可能に表示される。
【００４７】
カメラアイコン５１は、カメラ３０の録画開始を指示し、カメラ３０の機能を設定する際に使用されるアイコンである。
【００４８】
モード切替手段の一例としてのスピーカアイコン５２は、スマートフォン５０に搭載されたスピーカ５１３の音量を切り替えるためのアイコンであり、起動時にオン状態にある。スピーカアイコン５２に対するタップ操作が行われる度、スピーカアイコン５２はオン状態／オフ状態に切り替えられる。ここでは、スピーカアイコン５２は、オン状態で緑色に表示され、オフ状態で白色に表示される。
【００４９】
スピーカアイコン５２のオン状態とは、スピーカ５１３の音量が大きく設定された状態であり、通常のモニタやハンドフリー通話（スピーカホン通話）に適する。即ち、スピーカアイコン５２がオン状態である場合には、ハンドフリー通話（スピーカホン通話）に適した音量がスマートフォン５０に設定される。一方、スピーカアイコン５２のオフ状態とは、スピーカ５１３の音量が耳元で聴くような小さく設定された状態であり、音声モニタやハンズセット通話に適する。即ち、スピーカアイコン５２がオフ状態である場合には、ハンドセット通話に適した音量がスマートフォン５０に設定される。
【００５０】
ミュートアイコン５３は、スマートフォン５０に搭載されたマイク５１２のオン／オフを切り替えるためのアイコンであり、起動時にオン状態つまりマイク５１２の無効（消音）状態にある。ミュートアイコン５３に対するタップ操作が行われる度、ミュートアイコン５３はオン状態／オフ状態に切り替えられる。ここでは、ミュートアイコン５３は、スピーカアイコン５２と同様、オン状態で緑色に表示され、オフ状態で白色に表示される。
【００５１】
切断アイコン５４は、「Ｄｉｓｃｏｎｎｅｃｔ」の文字が記された、カメラ３０との接続を遮断するためのアイコンであり、起動時にオフ状態つまり接続状態にある。
【００５２】
図８（Ａ）〜（Ｃ）は、カメラ３０のマイク３２８及びスピーカ３２９の音量を設定する際のスマートフォン５０の画面の遷移を示す図である。タッチパネル５０３の画面に対して所定の操作が行われると、タッチパネル５０３の画面には、カメラ３０のマイク３２８及びスピーカ３２９の音量を設定するための選択メニューが表示される。
【００５３】
図８（Ａ）に示すように、選択メニューとして表示される、「Camera Mic Volume」キー５６は、マイク３２８の音量を設定するためのキーである。また、「Camera Speaker Volume」キー５７は、スピーカ３２９の音量を設定するためのキーである。
【００５４】
「Camera Mic Volume」キー５６がタップ操作されると、図８（Ｂ）に示すように、タッチパネル５０３の画面には、選択メニューが消えた後、シークバー５８が表示される。使用者がシークバー５８のスライダ５８ａを図中左右方向に移動させると、カメラ３０のマイク３２８の音量（マイク感度）が変化する。そして、マイク３２８の音量を決定し、ＯＫボタン５８ｂを押下すると、この決定したマイク３２８の音量がカメラ３０に設定される。
【００５５】
同様に、「Camera Speaker Volume」キー５７がタップ操作されると、図８（Ｃ）に示すように、タッチパネル５０３の画面には、選択メニューが消えた後、シークバー５９が表示される。使用者がシークバー５９のスライダ５９ａを図中左右方向に移動させると、カメラ３０のスピーカ３２９の音量が変化する。そして、スピーカ３２９の音量を決定し、ＯＫボタン５９ｂを押下すると、この決定したスピーカ３２９の音量がカメラ３０に設定される。
【００５６】
次に、スマートフォン５０を用いた各種の動作モードについて説明する。
【００５７】
本実施形態では、スマートフォン５０は、通常モニタモード、ハンドフリー通話モード、ハンドセット通話モード及び音声モニタモードの４つの動作モードに移行可能である。前述したように、監視カメラのアプリケーションを起動した直後、スマートフォン５０は、初期画面を表示し（図７参照）、通常モニタモードにある。このアプリケーションを起動する操作は、画像表示を指示する操作としてのモニタ指示に相当する。通常モニタモードでは、カメラ３０のマイク３２８で収音した音声がスマートフォン５０のスピーカ５１３から大きな音量で流れ、スマートフォン５０のマイク５１２は無効になっている。つまり、使用者の声はスマートフォン５０のマイク５１２により収音されない状態である。
【００５８】
図９（Ａ）〜（Ｃ）は、ハンドフリー通話を行う際のスマートフォン５０の画面の遷移を示す図である。図７の初期画面において、ミュートアイコン５３がタップ操作されると、図９（Ａ）に示すように、ミュートアイコン５３がオフとなり、タッチパネル５０３の画面には、「Ｍｕｔｅ  ＯＦＦ」のガイダンス６１が表示される。この後、切替時間（ここでは、０．２秒）が経過すると、図９（Ｂ）に示すように、スマートフォン５０のマイク５１２が有効になり、ハンドフリー通話モードに移行する。このハンドフリー通話モードでは、監視カメラ３０Ｂのマイク３２８で収音した音声がスマートフォン５０のスピーカ５１３から大きな音量で流れ、スマートフォン５０のマイク５１２は有効となり、監視カメラ３０Ｂとの間でハンドフリー通話が可能となる。
【００５９】
ハンドフリー通話モードにおいて、再びミュートアイコン５３がタップ操作されると、図９（Ｃ）に示すように、ミュートアイコン５３がオンとなり、タッチパネル５０３の画面には、「Ｍｕｔｅ  ＯＮ」のガイダンス６２が表示される。この後、切替時間（ここでは、０．２秒）が経過すると、図７の初期画面に戻り、スマートフォン５０のマイク５１２が無効になり、通常モニタモードに復帰する。
【００６０】
図１０（Ａ）〜（Ｃ）は、ハンドセット通話を行う際のスマートフォン５０の画面の遷移を示す図である。図９（Ｂ）に示すハンドフリー通話モードにおいて、スピーカアイコン５２がタップ操作されると、図１０（Ａ）に示すように、スピーカアイコン５２がオフとなり、タッチパネル５０３の画面には、「Ｓｐｅａｋｅｒ  ＯＦＦ」のガイダンス６３が表示される。この後、切替時間（ここでは、０．２秒）が経過すると、図１０（Ｂ）に示すように、ハンドセット通話モードに移行する。このハンドセット通話モードでは、監視カメラ３０Ｂのマイク３２８で収音した音声がスマートフォン５０のスピーカ５１３から小さな音量（耳元にスピーカ５１３を近づけて聴ける程度の音量）で流れ、スマートフォン５０のマイク５１２は有効のままである。スマートフォン５０は、監視カメラ３０Ｂとの間でハンドセット通話が可能となる。
【００６１】
ハンドセット通話モードにおいて、スピーカアイコン５２がタップ操作されると、図１０（Ｃ）に示すように、スピーカアイコン５２がオンとなり、タッチパネル５０３の画面には、「Ｓｐｅａｋｅｒ  ＯＮ」のガイダンス６４が表示される。この後、切替時間（ここでは、０．２秒）が経過すると、前述した図９（Ｂ）の画面に戻り、スマートフォン５０はスピーカ５１３の音量を上げてハンドフリー通話モードに移行する。
【００６２】
一方、図１０（Ｂ）に示すハンドセット通話モードにおいて、ミュートアイコン５３がタップ操作されると、ミュートアイコン５３及びスピーカアイコン５２がオンとなり、図９（Ｃ）に示すように、タッチパネル５０３の画面には、「Ｍｕｔｅ  ＯＮ」のガイダンス６２が表示される。この後、切替時間（ここでは、０．２秒）が経過すると、図７の初期画面に戻り、スマートフォン５０のマイク５１２が無効になり、スマートフォン５０は通常モニタモードに復帰する。
【００６３】
図１１（Ａ）〜（Ｃ）は、電話モニタを行う際のスマートフォン５０の画面の遷移を示す図である。図７の初期画面において、スピーカアイコン５２がタップ操作されると、図１１（Ａ）に示すように、スピーカアイコン５２がオフとなり、タッチパネル５０３の画面には、「Ｓｐｅａｋｅｒ  ＯＦＦ」のガイダンス６３が表示される。この後、切替時間（ここでは、０．２秒）が経過すると、図１１（Ｂ）に示すように、スマートフォン５０は、スマートフォン５０のスピーカ５１３の音量を下げて、電話モニタモードに移行する。この電話モニタモードでは、監視カメラ３０Ｂのマイク３２８で収音した音声がスマートフォン５０のスピーカ５１３から小さな音量（耳元にスピーカ５１３を近づけて聴ける程度の音量）で流れ、スマートフォン５０のマイク５１２は無効になっている。
【００６４】
電話モニタモードにおいて、スピーカアイコン５２がタップ操作されると、図１１（Ｃ）に示すように、スピーカアイコン５２がオンとなり、タッチパネル５０３の画面には、「Ｓｐｅａｋｅｒ  ＯＮ」のガイダンス６４が表示される。この後、切替時間（ここでは、０．２秒）が経過すると、図７の初期画面に戻り、スマートフォン５０のマイク５１２が無効になり、スマートフォン５０は通常モニタモードに復帰する。
【００６５】
一方、図１１（Ｂ）に示す電話モニタモードにおいて、ミュートアイコン５３がタップ操作されると、ミュートアイコン５３がオフとなり、タッチパネル５０３の画面には、「Ｍｕｔｅ  ＯＦＦ」のガイダンスが表示される。この後、切替時間（ここでは、０．２秒）が経過すると、図１０（Ｂ）に示すように、スマートフォン５０のマイク５１２が有効になり、ハンドセット通話モードに移行する。
【００６６】
次に、監視カメラシステム５の動作の流れについて説明する。
【００６７】
図１２は、監視カメラシステム５の動作の流れを示すシーケンス図である。ここでは、屋外に設置された人感センサ４０Ｂ及び監視カメラ３０Ｂを用いて、侵入者等を監視する動作について説明する。
【００６８】
まず、人感センサ４０Ｂが、屋外に存在する人物を検出すると、その検出信号及びセンサ検出情報を親機１０に送信する（Ｓ１０１）。親機１０は、人感センサ４０Ｂからセンサ検出情報を受信すると、無線ＬＡＮを用いてスマートフォン５０と無線接続し（Ｓ１０２）、接続が完了すると、スマートフォン５０にセンサ検出情報を送信する（Ｓ１０３Ａ）。
【００６９】
また、親機１０は、監視カメラ３０Ｂに対し、画像／音声データの転送を要求する（Ｓ１０３Ｂ）。監視カメラ３０Ｂは、画像／音声データの転送要求を受けると、無線ＬＡＮを用いて親機１０と接続し、撮像部３１２で撮像した画像データ及びマイク３２８で収音した音声データを親機１０に転送する（Ｓ１０４）。
【００７０】
スマートフォン５０は、使用者からモニタ指示を受け付けると（Ｓ１０５−１）、親機１０に対し、画像／音声データの転送を要求する（Ｓ１０５−２）。親機１０は、スマートフォン５０から画像／音声データの転送要求に応じ、監視カメラ３０Ｂから転送された画像データ及び音声データをスマートフォン５０に転送する（Ｓ１０６）。
【００７１】
これにより、スマートフォン５０は、初期画面（図７参照）を表示し、通常モニタモードとなる。スマートフォン５０は、初期画面を表示する通常モニタモードにおいて、スピーカアイコン５２がタップ操作されると（Ｓ１０７Ａ）、音声モニタモードに移行する（Ｓ１０８）。
【００７２】
一方、スマートフォン５０は、初期画面を表示する通常モニタモードにおいて、ミュートアイコン５３がタップ操作されると（Ｓ１０７Ｂ−１）、その操作情報を親機１０に送信する（Ｓ１０７Ｂ−２）。
【００７３】
親機１０は、この操作情報を受信すると、監視カメラ３０Ｂに対し、ハンドフリー通話を要求する（Ｓ１０９）。監視カメラ３０Ｂは、このハンドフリー通話要求を受けると、スピーカ３２９をオンにし、確認応答（ＡＣＫ）信号を、親機１０を経由してスマートフォン５０に送信する（Ｓ１１０）。
【００７４】
スマートフォン５０は、監視カメラ３０ＢからＡＣＫ信号を受けると、ハンドフリー通話モードに移行し、通話を開始する。即ち、スマートフォン５０は、マイク５１２で収音した会話用の音声データを親機１０に転送する（Ｓ１１１）。親機１０は、受信した会話用の音声データを監視カメラ３０Ｂに転送する（Ｓ１１２）。監視カメラ３０Ｂは、受信した親機１０から会話用の音声データをスピーカ３２９から発音する（Ｓ１１３）。
【００７５】
さらに、監視カメラ３０Ｂからスマートフォン５０への会話用の音声データは、逆の手順で行われる。即ち、監視カメラ３０Ｂは、マイク３２８で収音した会話用の音声データを親機１０に転送する（Ｓ１１４）。親機１０は、受信した会話用の音声データをスマートフォン５０に転送する（Ｓ１１５）。スマートフォン５０は、受信した親機１０から会話用の音声データをスピーカ５１３から発音する（Ｓ１１６）。
【００７６】
なお、ステップＳ１０８で音声モニタモードに移行した後、ミュートアイコン５３がタップ操作された場合、スマートフォン５０は、ハンドセット通話モードに移行する。
【００７７】
図１３は、親機１０の動作手順を示すフローチャートである。親機１０は、人感センサ４０Ｂからの検出信号をトリガとして、本動作を開始する。まず、親機１０は、人感センサ４０Ｂからセンサ検出情報を取得する（Ｓ１）。親機１０は、スマートフォン５０から画像／音声データ転送要求を受信したか否かを判別する（Ｓ２）。受信していない場合、親機１０は本動作を終了する。
【００７８】
一方、スマートフォン５０から画像／音声データ転送要求を受信した場合、親機１０は、監視カメラ３０Ｂから転送された画像データ及び音声データをスマートフォン５０に転送する（Ｓ３）。
【００７９】
親機１０は、スマートフォン５０から、ハンドフリー通話あるいはハンドセット通話の要求があるか否かを判別する（Ｓ４）。この通話の要求は、前述したように、ミュートアイコン５３をオフにタップ操作することで行われる。スマートフォン５０から通話の要求が無かった場合、親機１０は、本動作を終了する。
【００８０】
一方、スマートフォン５０から通話の要求があった場合、親機１０は、スマートフォン５０と監視カメラ３０Ｂとの通話を中継する（Ｓ５）。
【００８１】
この後、親機１０は、スマートフォン５０から通話の終了が指示されたか否かを判別する（Ｓ６）。この通話の終了は、前述したように、ミュートアイコン５３がオンにタップ操作されることで、あるいは切断アイコン５４がタップ操作されることで指示される。通話の終了が指示されていない場合、親機１０はステップＳ５の処理に戻る。一方、通話の終了が指示されると、親機１０は本動作を終了する。そして、再び、センサ４０からの検出信号をトリガとして起動するまで、親機１０はスタンバイ状態となる。
【００８２】
このように、本実施形態の監視カメラシステム５では、人感センサ４０Ｂが侵入者（対象）を検出すると、親機１０にセンサ検出情報を送る。親機１０は、人感センサ４０Ｂから送られたセンサ検出情報をスマートフォン５０に転送するとともに、人感センサ４０Ｂと関連付けて登録された監視カメラ３０Ｂに対し、画像／音声データの転送要求を送る。スマートフォン５０は、モニタ指示の操作を受け付けると、この操作の情報を親機１０に送る。親機１０は、操作の情報に従って、監視カメラ３０Ｂから転送される画像データをスマートフォン５０に送る。スマートフォン５０は、監視カメラ３０Ｂから送られた画像データをタッチパネル５０３に表示し、ミュートアイコン５３のタップ操作を受け付けると、監視カメラ３０Ｂに対する通話開始の要求信号を発信する。親機１０は、スマートフォン５０からの通話開始の要求信号を監視カメラ３０Ｂに転送する。スマートフォン５０と監視カメラ３０Ｂの通話が開始される。
【００８３】
監視カメラシステム５によれば、人感センサ４０Ｂによって侵入者が検出された場合、監視カメラ３０Ｂとスマートフォン５０との間で通話を行うことができ、利便性を向上できる。これにより、宅内の住人は、侵入者から直に用件を聞く等、侵入者と会話できる。
【００８４】
また、スマートフォン５０は、スピーカアイコン５２がオンであり、ハンドフリー通話に適した大きな音量に設定されている場合、ミュートアイコン５３のタップ操作を受け付けると、ハンドフリー通話モードに移行する。スマートフォン５０と監視カメラ３０Ｂは音声通話状態に移行する。これにより、ハンドフリー通話に簡単に切り替えることができ。
【００８５】
また、スマートフォン５０は、スピーカアイコン５２がオフであり、ハンドセット通話に適した小さな音量（耳元に近づけて聴ける程度の音量）に設定されている場合、ミュートアイコン５３のタップ操作を受け付けると、ハンドセット通話モードに移行する。スマートフォン５０と監視カメラ３０Ｂは音声通話状態に移行する。これにより、ハンドセット通話に簡単に切り替えることができる。
【００８６】
また、センサ４０として、１つの筺体に、監視カメラ３０Ｂと一体に人感センサ４０Ｂを内蔵してもよい。また、人感センサとして、監視カメラ３０Ｂに一体に内蔵された赤外線センサ３１３を用いてもよい。これにより、カメラとセンサの関連付けが容易である。
【００８７】
次に、親機１０が、スマートフォン５０および無線ルータ６０を登録するまでの初期設定の流れについて、図１４から図１６を用いて説明する。図１４は、初期設定の流れを示すシーケンス図である。図１５は、初期設定時におけるスマートフォン５０の初期設定動作開始前の画面を示す図である。図１６は、初期設定時におけるスマートフォン５０の初期設定動作中の画面を示す図である。図１７は、操作開始時におけるスマートフォン５０のメニュー表示画面を示す図である。
【００８８】
スマートフォン５０は、タッチパネル５０３の画面に、初期画面として、ホームアイコン（図示せず）を表示させる（Ｓ２０１）。スマートフォン５０のユーザが、スマートフォン５０を使って監視カメラシステム５の各機器を操作する場合には、まず、スマートフォン５０のタッチパネル５０３の画面に表示されたホームアイコンに対してタップ操作を行う（Ｓ２０２）。
【００８９】
この時、スマートフォン５０が親機１０に登録されていない場合、スマートフォン５０は、ユーザに登録を促すために、タッチパネル５０３の画面を、図１５に示すものに切り替える（Ｓ２０３）。図１５に示す画面では、ユーザに対して、親機１０のプラグを差し込むことを促すメッセージ９１が表示される。
【００９０】
そこで、ユーザが、親機１０のプラグを差し込むと（Ｓ２０４）、無線ルータ６０が親機１０に登録されていない場合には、親機１０は、親機１０がＷｉＦｉ（登録商標）のアクセスポイントとなるソフトＡＰモードで起動し、ＬＥＤ（Light Emitting Diode）（図示せず）を、所定の色（例えば黄色）で点灯させる（Ｓ２０５）。
【００９１】
その後、ユーザが、タッチパネル５０３に表示された図１５に示す画面において、親機１０のＬＥＤの色と同じ色（黄色）のアイコン９２をタップ操作すると（Ｓ２０６）、スマートフォン５０は、無線ルータ６０との通信を切断し、ソフトＡＰモードにおいて親機１０からの信号を待ち受ける状態に切り替わり、タッチパネル５０３の画面を、図１６に示すものに切り替える（Ｓ２０７）。図１６に示す画面では、ユーザに対して、親機１０の設定（Set Up）ボタンを押下げることを促すメッセージ９３が表示される。
【００９２】
そこで、ユーザが、親機１０の設定ボタンを押下げると（Ｓ２０８）、親機１０は、スマートフォン５０に向けて、無線ルータ６０を登録するために必要な情報の送信を要求する設定要求信号を送信する（Ｓ２０９）。
【００９３】
スマートフォン５０は、設定要求信号を受信すると、親機１０に対して、ソフトＡＰモードで無線接続するために必要なスマホ設定情報を送信する（Ｓ２１０）。なお、この場合、スマートフォン５０は、設定要求信号を受信すると、タッチパネル５０３にパスワードの入力を促す画面を表示し、パスワードが入力されるとスマホ設定情報を送信するようにしても良い。
【００９４】
親機１０は、スマホ設定情報を受信すると、スマートフォン５０と無線接続するために必要な処理を行い、ＬＥＤ（黄色）を点滅させる（Ｓ２１１）。
【００９５】
スマートフォン５０は、スマホ設定情報を送信した後、一旦、親機１０との通信を切断し、無線ルータ６０と無線接続する。そして、スマートフォン５０は、無線ルータ６０に対して、設定に必要な情報の送信を要求する設定要求信号を送信する（Ｓ２１２）。
【００９６】
無線ルータ６０は、スマートフォン５０に対して、無線ルータ６０を親機１０に設定するために必要なルータ設定情報をスマートフォン５０に送信する（Ｓ２１３）。
【００９７】
スマートフォン５０は、無線ルータ６０からルータ設定情報を受信すると、無線ルータ６０との通信を切断し、再び、ソフトＡＰモードにおいて親機１０と無線接続し、無線ルータ６０から受信したルータ設定情報を親機１０に送信する（Ｓ２１４）。
【００９８】
親機１０は、スマートフォン５０から受信したルータ設定情報に基づいて無線ルータ６０の登録を行い（Ｓ２１５）、登録完了後に、スマートフォン５０との無線接続（ソフトＡＰモード）を解除し、無線ＬＡＮを用いて無線ルータ６０と無線接続し、ＬＥＤを他の所定の色（例えば緑色）で点滅させる（Ｓ２１６）。
【００９９】
スマートフォン５０は、親機１０との通信が切断されると、無線ＬＡＮを用いて無線ルータ６０と無線接続し、スマートフォン５０を親機１０に登録するために必要なスマホ情報を、無線ルータ６０を介して親機１０に送信する（Ｓ２１７）。なお、スマートフォン５０は、タッチパネル５０３にパスワードの入力を促す画面を表示し、パスワードが入力されるとスマホ情報を送信するようにしても良い。
【０１００】
親機１０は、スマートフォン５０から受信したスマホ情報に基づいてスマートフォン５０の登録を行い（Ｓ２１８）、スマートフォン５０の登録が完了すると、無線ルータ６０を介してスマートフォン５０に登録完了通知を送信する（Ｓ２１９）。また、親機１０は、スマートフォン５０の登録が完了した時点で、スピーカ（図示せず）からBeep音を出力させ（Ｓ２２０）、ＬＥＤを消灯させる（Ｓ２２１）。
【０１０１】
スマートフォン５０は、親機１０から登録完了通知を受信すると、タッチパネル５０３の画面に、再び、ホームアイコンを表示させる（Ｓ２２２、Ｓ２０１の状態に戻る）。
【０１０２】
上記Ｓ２０１乃至Ｓ２２２のステップにより、初期設定（スマートフォン５０および無線ルータ６０の登録）が完了し、スマートフォン５０は、無線ルータ６０を介して、親機１０と通信することが可能となる。
【０１０３】
これにより、監視カメラ３０Ｂから親機１０に送信される画像／音声データを、親機１０から無線ルータ６０を介してスマートフォン５０に送信することができ、ユーザは、宅内の敷地に入ってきた侵入者を監視することができる。
【０１０４】
なお、上記Ｓ２０１（またはＳ２２２）においてスマートフォン５０および無線ルータ６０が親機１０に登録されている場合、ユーザがホームアイコンに対してタップ操作を行うと、スマートフォン５０は、タッチパネル５０３の画面を、図１７に示すものに切り替える。
【０１０５】
また、上記Ｓ２０４において、無線ルータ６０が親機１０に登録されている場合、親機１０は、ソフトＡＰモードではなく、最初から無線ルータ６０と無線接続を行い、親機１０は、別の所定の色（例えば緑色）で点灯（点滅）させる。これによって、ユーザには、Ｓ２０６にて黄色のアイコン９２ではなく、緑色のアイコン９４をタップ操作するようにさせ、無線ルータ６０の登録操作を省略してＳ２１７の動作を行う。
【０１０６】
ここで、親機１０は、スマートフォン５０を子機として登録することができる。つまり、Ｓ２１７以降の登録動作によって、スマートフォン５０を子機として利用することが可能になる。ただし、親機１０の固定電話機能は、従来の固定電話機能と同等であり、一般的には、親機１０が登録可能なスマートフォン５０の数（最大値）は予め決められている（例えば４台まで）。
【０１０７】
つまり、固定電話機能と監視システム機能とでは、登録時に上記の登録数の違いにより利用できる機能が異なり、親機１０の利用率が高い固定電話機能の登録台数が少なくなっている。
【０１０８】
そのため、親機１０は、新たにスマートフォン５０を登録する場合、子機登録可能な空きポートがあるか否かを判定する。
【０１０９】
空きポートがある場合、親機１０は、スマートフォン５０を子機として登録し、登録完了通知において、スマートフォン５０に、子機として登録する旨を通知する。この場合、スマートフォン５０は、固定電話機能および監視システム機能の両方を使用することができる。
【０１１０】
一方、空きポートがない場合、親機１０は、スマートフォン５０をセキュリティ機能限定で登録し、登録完了通知において、スマートフォン５０に、監視システム機能限定で登録する旨を通知する。この場合、スマートフォン５０は、監視システム機能のみを使用することができる。そして、図１７の画面において、電話機能（Phone）９５を使用することができないことを示す表示が為される。例えば、例えば、Phoneの部分がグレー表示になる（グレーアウト）。
【０１１１】
また、一般的には、親機１０が監視システム機能で登録することができるスマートフォンの数（最大値）も予め決められている。例えば、監視システム機能について登録可能な台数の最大値が８台で、子機登録可能な台数の最大値が４台である場合、親機１０が監視システム機能限定で登録することができるスマートフォンの数は４台となる。監視システム機能について登録可能な台数の最大値のスマートフォン５０が既に登録されている場合、親機１０は、スマートフォン５０に対して、登録できない旨を通知する。
【０１１２】
これにより、固定電話機能および監視システム機能を、親機１０を介して効率よく利用することが可能になり、電話機能とセキュリティ機能の両立を図ることができる。
【０１１３】
なお、上記電話機能に関する子機の数は、スマートフォンの数、若しくはスマートフォンと通常の子機との数のいずれか一方となる。
【０１１４】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１５】
例えば、上述した本実施形態では、監視カメラシステムに適用された場合を示したが、これに限らず、例えば、カメラを所持する旅行者が旅先等で撮影した画像を見ながら、携帯端末を所持する友達等と会話するといったコミュニケーションシステムにも、本発明は適用可能である。
【産業上の利用可能性】
【０１１６】
本発明は、宅内の敷地に入ってきた侵入者を監視する監視カメラシステムに用いるに好適である。
【符号の説明】
【０１１７】
５  監視カメラシステム
８  宅内
１０  親機
１０ａ  差込口
２０、２０Ａ、２０Ｂ  子機
３０、３０Ａ、３０Ｂ  カメラ
４０、４０Ａ、４０Ｂ、４０Ｃ、４０Ｄ  センサ
５０  スマートフォン
５１、５２、５３、５４  アイコン
５５  画像
５６、５７  キー
５８、５９  シークバー
５８ａ、５９ａ  スライダ
５８ｂ、５９ｂ  ＯＫボタン
６０  無線ルータ
６５  インターネット
７０  携帯電話機
７５  携帯電話網
８０  固定電話機
８５  固定電話網
１０１  固定電話回線Ｉ／Ｆ部
１０３、２４２、３０３、４４２、５０４  記憶部
１０４、２４３、３０４、５０５  音声入出力制御部
１０５、２４４、３０５  操作部
１０６、２４５  表示部
１０７、２４８、３１８、４４８  ＤＥＣＴ無線Ｉ／Ｆ部
１０８、２４９、３１７、４４９  ＤＥＣＴプロトコル制御部
１０９、２４７、３０９、４４７、５０６  制御部
１１０  呼制御部
１１２  音声ストリーム処理部
１１５  画像メモリ制御部
１１６  画像メモリ
１１７、２５５、３０７、５１５  音声バス
１２１、３２１、５０７  無線ＬＡＮ制御部
１２２、３２２、５０８  無線ＬＡＮ通信Ｉ／Ｆ部
１２６  子機／携帯端末充電部
１２７  ＵＳＢ通信Ｉ／Ｆ部
１２８、２５１、３２８、５１２  マイク
１２９、２５２、３２９、５１３  スピーカ
２５０、５５０  ２次電池
３１２  撮像部
３１３  赤外線センサ
３１５  画像メモリ
３１６  画像メモリ制御部
【要約】
【課題】専用のシステムを導入すること無く、宅内の敷地に入ってきた侵入者を監視すること。
【解決手段】監視カメラシステム５では、親機１０は、予めスマートフォン５０および無線ルータ６０を登録する。親機１０は、人感センサ４０Ｂからセンサ検出情報を受信すると、監視カメラ３０Ｂに対して画像／音声データの転送を要求し、監視カメラ３０Ｂから転送される画像／音声データを、無線ルータ６０を介してスマートフォン５０に送る。スマートフォン５０は、監視カメラ３０Ｂから送られた画像データをタッチパネル５０３に表示する。
【選択図】図１【図１】
0005845453.tif 000002
【図２】
0005845453.tif 000003
【図３】
0005845453.tif 000004
【図４】
0005845453.tif 000005
【図５】
0005845453.tif 000006
【図６】
0005845453.tif 000007
【図７】
0005845453.tif 000008
【図８】
0005845453.tif 000009
【図９】
0005845453.tif 000010
【図１０】
0005845453.tif 000011
【図１１】
0005845453.tif 000012
【図１２】
0005845453.tif 000013
【図１３】
0005845453.tif 000014
【図１４】
0005845453.tif 000015
【図１５】
0005845453.tif 000016
【図１６】
0005845453.tif 000017
【図１７】
0005845453.tif 000018